(57)【特許請求の範囲】
【請求項１】
超伝導サイクロトロンにおいて、
中心軸を中心としており、前記中心軸から離れた外面を有し、反対側の中央加速プレーン対向面を有する少なくとも２つの超伝導コイルであって、中央加速プレーンの両側に位置するコイルと、
前記コイルを取り囲み、偏心力による前記コイルへのひずみを低減させるか除去し、磁気ヨークと前記コイルの間に介在するクリオスタットを伴わないように、各コイルの前記外面にわたって、且つ各コイルの前記中央加速プレーン対向面にわたって前記コイルと物理的接触状態にある磁気ヨークであって、前記磁気ヨークは加速チャンバーを収容し、前記磁気ヨークは、前記超伝導コイルとの熱接触状態にあり、且つ、前記中央加速プレーンは、前記加速チャンバーを通じて延在しており、前記超伝導コイルおよび物理的に接続された前記磁気ヨークは、前記中央加速プレーン内に少なくも６テスラに到達する磁界を生成するように構成されている、磁気ヨークと、
前記超伝導コイル及び前記磁気ヨークと熱結合された乾式クリオクーラーと、
前記磁気ヨークの外側に取り付けられ、熱遮蔽体内に前記コイルと前記磁気ヨークを収容するクリオスタットであって、前記熱遮蔽体内で前記コイルと前記磁気ヨークを前記乾式クリオクーラーによって冷却することができる、クリオスタットと、
を有することを特徴とするサイクロトロン。
【請求項２】
請求項１に記載のサイクロトロンにおいて、前記超伝導コイルは、介在するギャップを伴うことなしに、且つ、引っ張りリンクの使用を伴うことなしに、直接的な荷重支持接触により、前記磁気ヨークによって物理的に支持されていることを特徴とするサイクロトロン。
【請求項３】
請求項１に記載のサイクロトロンにおいて、前記加速チャンバー内において軌道運動するイオンを加速させるために高周波電圧源と結合されると共に前記加速チャンバー内に取り付けられた電極のペアを更に有することを特徴とするサイクロトロン。
【請求項４】
請求項３に記載のサイクロトロンにおいて、前記電極を前記磁気ヨーク及び前記超伝導コイルから分離する断熱構造体を更に有することを特徴とするサイクロトロン。
【請求項５】
請求項１に記載のサイクロトロンにおいて、前記磁気ヨークは、前記中央加速プレーンの両側に磁極のペアを含み、それぞれの磁極は、イオン導入のための内径からイオン抽出のための外径まで前記中央加速プレーンに跨って半径方向に減少する磁界を生成するように構成されていることを特徴とするサイクロトロン。
【請求項６】
請求項５に記載のサイクロトロンにおいて、前記磁気ヨークは、前記加速チャンバーに対する前記磁気ヨークを通じたアクセスを提供する半径方向に延在する真空フィードスルーを設けるためのポートを含み、且つ、前記磁極の間の分離ギャップは、前記真空フィードスルー用の前記ポートにわたって減少していることを特徴とするサイクロトロン。
【請求項７】
請求項５に記載のサイクロトロンにおいて、前記磁極は、中心軸から前記超伝導コイルまで１０ｃｍ±１０％にわたって半径方向に延在することを特徴とするサイクロトロン。
【請求項８】
請求項７に記載のサイクロトロンにおいて、それぞれの磁極は、Ａ、Ｂ、Ｃ、及びＤと表記可能な段階を含むプロファイルを有し、段階Ａ、Ｂ、Ｃ、及びＤは、アルファベット順に中心軸から半径方向を外向きに延在し、且つ、前記磁極は、段階Ｂにおいて、７ｃｍ±１０％だけ、離隔していることを特徴とするサイクロトロン。
【請求項９】
請求項８に記載のサイクロトロンにおいて、前記磁極は、段階Ｄにおいて、１．６ｃｍ±１０％だけ、離隔していることを特徴とするサイクロトロン。
【請求項１０】
請求項９に記載のサイクロトロンにおいて、前記磁極は、段階Ａ及びＣのそれぞれにおいて、５ｃｍ±１０％だけ、離隔していることを特徴とするサイクロトロン。
【請求項１１】
請求項１０に記載のサイクロトロンにおいて、前記超伝導コイルは、７ｃｍ±１０％だけ、離隔していることを特徴とするサイクロトロン。
【請求項１２】
請求項１１に記載のサイクロトロンにおいて、段階Ａ、Ｂ、Ｃ、及びＤのそれぞれは、前記その他の段階が延在している前記半径方向の距離と同一である前記中心軸からの半径方向の距離にわたって延在していることを特徴とするサイクロトロン。
【請求項１３】
請求項５に記載のサイクロトロンにおいて、前記磁気ヨークは、前記磁気ヨークが飽和するまで磁化された際に、２．５テスラを上回らない量だけ、前記中央加速プレーンに寄与するように構成されていることを特徴とするサイクロトロン。
【請求項１４】
請求項１３に記載のサイクロトロンにおいて、前記超伝導コイルは、少なくとも３テスラだけ、前記中央加速プレーンに寄与するように構成されていることを特徴とするサイクロトロン。
【請求項１５】
請求項１に記載のサイクロトロンにおいて、前記超伝導コイルは、少なくとも４Ｋの温度において超伝導性を有する材料を有することを特徴とするサイクロトロン。
【請求項１６】
請求項１に記載のサイクロトロンにおいて、前記磁気ヨークは鉄を有することを特徴とするサイクロトロン。
【請求項１７】
請求項１に記載のサイクロトロンにおいて、前記磁気ヨークの全体が前記乾式クリオクーラーと熱結合されていることを特徴とするサイクロトロン。
【請求項１８】
請求項１に記載のサイクロトロンにおいて、前記磁気ヨークは、２０００ｋｇ未満の質量を有することを特徴とするサイクロトロン。
【請求項１９】
請求項１に記載のサイクロトロンにおいて、
前記中央加速プレーン内において前記サイクロトロンによって加速される対象のイオンを前記加速チャンバ内に導入するための、前記超伝導コイルがそれを中心としてセンタリングされる、中心軸からの内径に位置したイオン源と、
前記加速チャンバから前記イオンを抽出するための、前記中心軸からの外径に位置するイオン抽出装置と、
前記内径から前記外径まで前記イオンを軌道に沿って加速させるための、前記中央加速プレーンのそれぞれの側に１つずつである、プレートのペアを含む電極であって、前記磁気ヨークに囲まれている電極と、
を更に有することを特徴とするサイクロトロン。
【請求項２０】
請求項１９に記載のサイクロトロンにおいて、前記磁気ヨークは、境界線において結合されると共に磁極ギャップに跨って前記電極の両側において分離された磁極のペアを含み、前記磁気ヨークは、前記電極に対するアクセスを提供する真空フィードスルーを設けるためのポートを規定し、且つ、前記真空フィードスルーを設けるためのポートから離れた角度における前記磁極ギャップは、前記ポートと交差する角度における前記磁極ギャップよりも大きいことを特徴とするサイクロトロン。
【請求項２１】
請求項１９に記載のサイクロトロンにおいて、前記真空フィードスルー用の前記ポートを通じて延在すると共に前記電極と結合された導電性コンジットを更に有することを特徴とするサイクロトロン。
【請求項２２】
イオンを加速させる方法において、
サイクロトロンを利用するステップであって、前記サイクロトロンは、
ａ）中心軸を中心としており、前記中心軸から離れて外面を有し、反対側の中央加速プレーン対向面を有する少なくとも２つの超伝導コイルであって、中央加速プレーンの両側に位置するコイルと、
ｂ）前記コイルを取り囲み、偏心力による前記コイルへのひずみを低減させるか除去し、磁気ヨークと前記コイルの間に介在するクリオスタットを伴わないように、各コイルの前記外面にわたって、且つ各コイルの前記中央加速プレーン対向面にわたって前記コイルと物理的接触状態にある磁気ヨークであって、前記磁気ヨークは加速チャンバーを収容し、前記磁気ヨークは、前記超伝導コイルとの熱接触状態にあり、且つ、前記中央加速プレーンは、前記加速チャンバーを通じて延在しており、前記超伝導コイルおよび物理的に接続された前記磁気ヨークは、前記中央加速プレーン内に少なくも６テスラに到達する磁界を生成するように構成されている、磁気ヨークと、
ｃ）前記超伝導コイル及び前記磁気ヨークと物理的且つ熱的結合された乾式クリオクーラーと、
ｄ）高周波電圧源と結合されると共に前記加速チャンバー内に取り付けられた電極と、
ｅ）前記磁気ヨークの外側に取り付けられ、前記コイルと前記磁気ヨークを収容するクリオスタットと、
を有する、ステップと、
イオンを前記中央加速プレーンに内径において導入するステップと、
前記高周波電圧源から前記電極に高周波電圧を供給し、前記中央加速プレーンに跨って膨張する軌道において前記イオンを加速させるステップと、
前記超伝導コイル及び前記磁気ヨークを前記乾式クリオクーラーによって冷却するステップであって、前記超伝導コイルは、その超伝導遷移温度を上回らない温度に冷却され、前記磁気ヨークは１００Ｋを上回らない温度に冷却される、ステップと、
前記冷却された超伝導コイルに電圧を供給し、前記中央加速プレーン内に前記超伝導コイル及び前記ヨークから少なくとも６テスラに到達する磁界を生成する超伝導電流を前記超伝導コイル内に生成するステップと、
前記加速されたイオンを加速チャンバーから外径において抽出するステップと、
を有することを特徴とする方法。
【請求項２３】
請求項２２に記載の方法において、前記電極は、前記磁気ヨーク及び前記超伝導コイルよりも少なくとも４０Ｋだけ高い温度において維持されることを特徴とする方法。
【請求項２４】
請求項２２に記載の方法において、前記中央加速プレーン内に生成される前記磁界は、イオン導入のための前記内径からイオン抽出のための前記外径まで半径に伴って減少することを特徴とする方法。
【請求項２５】
請求項２２に記載の方法において、前記中央加速プレーン内に生成される前記磁界は、少なくとも８テスラに到達することを特徴とする方法。
【請求項２６】
請求項２５に記載の方法において、少なくとも８テスラの前記磁界のうちの少なくとも５テスラは、前記超伝導コイルによって生成されることを特徴とする方法。
【請求項２７】
請求項２２に記載の方法において、前記超伝導コイルは、中心軸を中心としてセンタリングされ、且つ、前記生成される磁界は、イオン導入のための前記内径からイオン抽出のための前記外径まで前記中心軸を中心として軸対称であることを特徴とする方法。
【請求項２８】
請求項２２に記載の方法において、前記イオンは、イオン導入のための前記内径からイオン抽出のための前記外径まで固定周波数において加速されることを特徴とする方法。
【発明の詳細な説明】
【背景技術】
【０００１】
電極のペア及び磁石構造体からの磁界インパルスを使用して外向きの螺旋状にイオン（帯電粒子）を加速させるサイクロトロンが米国特許第１，９４８，３８４号明細書（発明者：Ｅｒｎｅｓｔ  Ｏ．  Ｌａｗｒｅｎｃｅ、特許交付年：１９３４年）に開示されている。Ｌａｗｒｅｎｃｅの加速器設計は、いまでは、一般に、「古典的」サイクロトロンと呼ばれており、この場合には、電極が固定加速周波数を供給すると共に磁界が半径の増大に伴って減少し、これにより、軌道運動するイオンの垂直方向の位相安定性を維持するための「弱収束」を提供している。
【０００２】
最近のサイクロトロンは、主には、「等時性」サイクロトロンと呼ばれる種類であり、この場合には、電極によって供給される加速周波数は、同様に、固定されているが、相対性を補償するために、磁界が半径の増大に伴って増大しており、且つ、イオンの加速の際に、セクター周期性を有する成形された鉄製磁極片から導出された方位角が変化する磁界成分により、軸方向の回復力が印加されている。大部分の等時性サイクロトロンは、抵抗磁石技術を使用しており、且つ、１〜３テスラの磁界レベルにおいて動作する。いくつかの等時性サイクロトロンは、超伝導磁石技術を使用しており、この場合には、超伝導コイルが、加速に必要とされるガイド及び収束磁界を提供する常温の鉄製磁極を磁化している。これらの超伝導等時性サイクロトロンは、３〜５Ｔの磁界レベルにおいて動作する。本発明者は、１９８０年代初頭に、Ｍｉｃｈｉｇａｎ  Ｓｔａｔｅ  Ｕｎｉｖｅｒｓｉｔｙにおいて最初の超伝導サイクロトロンプロジェクトに従事している。
【０００３】
別の種類のサイクロトロンは、シンクロサイクロトロンと呼ばれている。古典的サイクロトロン又は等時性サイクロトロンとは異なり、シンクロサイクロトロン内の加速周波数は、イオンが外向き螺旋運動をするのに伴って減少する。又、等時性サイクロトロンとは異なり、古典的サイクロトロンと同様に、シンクロサイクロトロン内の磁界は、半径の増大に伴って減少している。本発明者は、最近、陽子線による放射線治療及びその他の臨床的用途のための高磁界シンクロサイクロトロンを発明している（米国特許第７，５４１，９０５Ｂ２号及び第７，６９６，８４７Ｂ２号明細書に記述されている）。このシンクロサイクロトロンの実施形態は、既存の超伝導等時性サイクロトロンと同様に、常温の鉄製磁極と、低温の超伝導コイルと、を有するが、相対的に強力な磁界にまで及ぶスケーラビリティを有する異なる方式により、加速の際にビームの収束を維持しており、且つ、従って、例えば、約９テスラの磁界によって動作することができる。
【発明の概要】
【０００４】
本明細書は、小型低温弱収束超伝導サイクロトロンについて記述している。その構造及び使用のための装置及び方法の様々な実施形態は、後述する要素、特徴、及びステップのいくつか又はすべてを含んでもよい。
【０００５】
小型低温弱収束超伝導サイクロトロンは、中央加速プレーンの両側に少なくとも２つの超伝導コイルを含むことができる。磁気ヨークがコイルを取り囲み、且つ、加速チャンバーを収容している。磁気ヨークは、極低温冷凍機からの熱リンク及び超伝導コイルとの熱接触状態にあり、且つ、中央加速プレーンは、加速チャンバーを通じて延在している。
【０００６】
サイクロトロンの動作の際には、イオンを内径において中央加速プレーンに導入する。イオンを中央加速プレーンに跨る膨張軌道において加速するために、磁気ヨーク内に取り付けられた電極のペアに対して高周波電圧源から高周波電圧を印加する。極低温冷凍機により、超伝導コイル及び磁気ヨークを超伝導コイルの超伝導遷移温度を上回らない温度まで冷却する。冷却された超伝導コイルに対して電圧を供給することにより、磁界を超伝導コイル及びヨークから中央加速プレーン内に生成する超伝導電流を超導電コイル内に生成し、且つ、加速されたイオンが外径に到達した際に、加速されたイオンを加速チャンバーから抽出する。
【０００７】
このサイクロトロンは、Ｅ．Ｏ．  Ｌａｗｒｅｎｃｅのオリジナルの弱収束サイクロトロンに基づいて構築することにより、（等時性サイクロトロンと同様の）固定周波数と、（シンクロサイクロトロンと同様の）単純な磁気回路と、を有する古典的設計を有することができる。強力な磁界にまで及ぶスケーラビリティを古典的サイクロトロンに付与するために、常温の加速コンポーネントが磁気ヨーク内に位置するための空間及びクリアランスを維持しつつ、磁石全体（ヨーク及びコイル）を動作の際に極低温の温度に冷却することができる。この低温鉄製弱収束サイクロトロンは、小さなサイズでこのような強力な磁界にまで及ぶスケーラビリティを有することが可能であり、携帯型サイクロトロン装置として使用することができる。このようなサイクロトロンは、陽子の場合には、２５ＭｅＶ未満のエネルギーに制限されることになるが、適用のために構築されている大部分のサイクロトロンは、このエネルギー範囲に含まれており、従って、このようなサイクロトロンの存在によって実際の使用が可能となる多数の産業又は防衛用途が存在している。
【０００８】
小型低温弱収束超伝導サイクロトロンは、サイクロトロンの中間セクションを通じたスロットを有する常温の貫通部を有する単純な円筒型クリオスタットを含むことができる。サイクロトロン内部の低温コンポーネントは、例えば、直接的に、機械的な極低温冷凍によるか、機械的な冷却器を利用した熱対流回路によるか、液体寒剤の連続的な供給によるか、或いは、プール沸騰寒剤（ｐｏｏｌ  ｂｏｉｌｉｎｇ  ｃｒｙｏｇｅｎ）の静的充填によるなどのように、任意の数の方式によって冷却してもよい。サイクロトロンの動作温度は、４Ｋ〜８０Ｋであってもよく、且つ、コイル用に選択される超伝導体によって決定されることになろう。
【０００９】
コイル、磁極、リターンパス鉄ヨーク、トリムコイル、永久磁石、成形された強磁性磁極表面、及びフリンジ磁界キャンセルコイル又は材料を含む磁石の全体をクリオスタット内に設置されると共に超伝導コイルの動作温度に保持された単一の単純な熱支持部上に取り付けることができる。サイクロトロンの加速器構造体（例えば、イオン源及び電極）は、その全体が、クリオスタットの外部常温中央スロット内に存在することが可能であり、且つ、従って、熱的に、且つ、機械的にも、低温の超伝導磁石から隔離することができる。この設計は、任意のタイプのサイクロトロンの基本的に新しい電気機械的構造を表していると考えられる。この場合に、磁石は、２５ＭｅＶ以下におけるすべての正のイオン種の弱収束固定周波数サイクロトロン加速のために、必要とされる加速及び収束磁界を常温のスロット内に供給するように設計されている。
【００１０】
ヨークとコイルの間に隙間が存在していないため、既存の超伝導サイクロトロン内の強力な磁界において遭遇する大きな偏心力を和らげるためのコイル用の別個の機械的支持構造体に対する必要性が存在しておらず、且つ、偏心力は、固有の方式によって除去することができる。磁気ヨークの低温磁石材料を使用して磁界を成形すると同時に超伝導コイルを構造的に支持し、これにより、更にサイクロトロンの複雑性を低減すると共に固有の安全性を増大させることができる。更には、磁石のすべてがクリオスタットの内部に収容されている場合には、加速磁界に悪影響を及ぼすことなしに、キャンセル超伝導コイルにより、或いは、クリオスタット内の中間温度遮蔽体に付加されたキャンセル超伝導表面により、外部フリンジ磁界をキャンセルしてもよい。
【００１１】
本明細書に記述されているサイクロトロン設計は、従来の均等物と比べて既に小型且つ廉価である既存の超伝導等時性サイクロトロン及び既存の超伝導シンクロサイクロトロンのいずれと比べても、いくつかの更なる利点を提供することができる。例えば、磁気回路の構成要素間の力のバランスを維持するための別個の支持構造に対する必要性が存在しないため、磁石構造を単純化することが可能であり、この結果、全体的な費用を低減し、全体的な安全性を改善し、且つ、外部磁界を管理するための空間及び能動的な保護システムに対する必要性を低減することができる。更には、これらのサイクロトロンは、その古典的な設計が固定加速周波数において動作することができるため、複雑な可変周波数加速システムに対する必要性を伴うことなしに、高磁界（例えば、約８テスラ）を生成することができる。従って、本開示のサイクロトロンは、モバイル環境において、且つ、相対的に小さな容積内において、使用することができる。
【００１２】
予備的研究は、これらのサイクロトロンが、これらのエネルギーレベルにおける従来のサイクロトロンと比べて、１００分の１以下へのサイズの低減を提供することが可能であり、且つ、従って、これらのサイクロトロンは、空中及び海底の調査のために、且つ、爆発物及び核の脅威の検出のために、僻地や港及び空港におけるものを含む広く分散された方式によって携帯利用することができることを示唆している。
【図面の簡単な説明】
【００１３】
【図１】図１は、小型低温弱収束超伝導サイクロトロンの一実施形態の断面図であり、磁極の内側表面上の特別設計のプロファイルを示してはいない。
【図２】図２は、図１のサイクロトロンの斜視図である。
【図３】図３は、一連のクリオスタット及び極低温冷凍機を有する小型低温弱収束超伝導サイクロトロンの一実施形態の側面断面図である。
【図４】図４は、磁極の間の加速チャンバーの内側クリオスタット内のビームチャンバーの一実施形態の部分断面図である。
【図５】図５は、磁気ヨーク内の磁気コイル及び包囲構造の一実施形態の断面図である。
【図６】図６は、特別設計の内側磁極プロファイルを有するヨーク及びコイルの一実施形態の断面図である。
【図７】図７は、磁石構造体の断面図であり、ヨークの磁極が、図６の磁極プロファイルと、真空フィードスルーポートにおける磁界補償を提供するための磁気タブと、を有する。
【図８】図８は、磁極ウィングの外側に沿って位置決めされた磁気タブの第１実施形態の図を提供する。
【図９】図９は、磁極ウィングの外側に沿って位置決めされた磁気タブの第１実施形態の図を提供する。
【図１０】図１０は、磁極ウィングの外側に沿って位置決めされた磁気タブの第１実施形態の図を提供する。
【図１１】図１１は、磁極ウィングの外側に沿って位置決めされ、且つ、磁極ウィングの内側表面の周りに巻き付いている磁気タブの第２実施形態の図を提供する。
【図１２】図１２は、磁極ウィングの外側に沿って位置決めされ、且つ、磁極ウィングの内側表面の周りに巻き付いている磁気タブの第２実施形態の図を提供する。
【図１３】図１３は、磁極ウィングの外側に沿って位置決めされ、且つ、磁極ウィングの内側表面の周りに巻き付いている磁気タブの第２実施形態の図を提供する。
【図１４】図１４は、磁極ウィングの外側に沿って位置決めされ、且つ、磁極ウィングの内側表面の周りに巻き付いている磁気タブの第２実施形態の図を提供する。
【図１５】図１５は、磁極ウィングの外側に沿って位置決めされ、且つ、磁極ウィングの内側表面の周りに巻き付いている磁気タブの第２実施形態の図を提供する。
【図１６】図１６は、小型低温弱収束超伝導サイクロトロンの一実施形態の平面断面図である。
【００１４】
添付図面においては、様々な図面の全体を通じて、同一の参照符号によって同一又は類似の部分を示している。図面は、必ずしも縮尺が正確ではなく、その代わりに、後述する特定の原理を例示することに重点が置かれている。
【発明を実施するための形態】
【００１５】
（１つ又は複数の）発明の様々な態様の上述の及びその他の特徴及び利点については、（１つ又は複数の）発明の広範な境界に含まれる様々な概念及び特定の実施形態に関する以下の更に具体的な説明から明らかとなろう。以上において紹介され、且つ、以下において詳述される主題の様々な態様は、主題が任意の特定の方式の実装形態に限定されないことから、多数の方法のうちのいずれかによって実装してもよい。特定の実装形態及び用途の例は、主に、例示を目的として提供されるものである。
【００１６】
本明細書においてそれ以外の方式によって規定、使用、又は特徴付けされていない限り、本明細書において使用される用語（技術的及び化学的な用語を含む）は、関連技術の文脈において一般に認められているその意味と一貫性を有する意味を有するものと解釈することを要し、且つ、本明細書において明示的に規定されていない限り、理想化された又は過度に形式的な意味において解釈してはならない。例えば、特定の組成が参照されている場合には、実際的且つ不完全な現実が適用される場合があることから、組成は、実質的に、完全に純粋なものでなくてもよく、例えば、少なくとも微量の（例えば、重さ又は容積において１又は２％未満の）不純物の潜在的な存在は、説明の範囲に含まれるものとして理解することが可能であり、同様に、特定の形状が参照されている場合には、その形状は、例えば、機械加工公差に起因した理想的な形状からの不完全な変形をも含むものと解釈されたい。
【００１７】
本明細書においては、図面に示されている要素間の関係を表すための説明を容易にするために、「上方（ａｂｏｖｅ）」、「上部（ｕｐｐｅｒ）」、「下（ｂｅｎｅａｔｈ）」、「下方（ｂｅｌｏｗ）」、「下部（ｌｏｗｅｒ）」、及びこれらに類似したものなどの空間的な関係を意味する用語が使用される場合がある。これらの空間的な関係を意味する用語は、図面に示されている向きに加えて、使用又は動作の際の装置の様々な向きを含むことを意図していることを理解されたい。例えば、図中の装置が裏返された場合には、その他の要素又は特徴の「下部」又は「下方」として記述されていた要素は、その他の要素又は特徴の「上方」において方向付けされることになろう。従って、例示用の用語である「上方」は、上方及び下方の向きの両方を含んでもよい。装置は、それ以外の方式によって方向付けされてもよく（例えば、９０度だけ又はその他の向きにおいて回転されてもよく）、且つ、本明細書において使用されている空間的な関係を意味する記述子も、相応して、解釈されたい。
【００１８】
更には、本開示において、要素が、別の要素の「上部に存在する」ものとして、或いは、別の要素に対して「接続」又は「結合」されているものとして、参照されている際には、その要素は、特記されていない限り、その別の要素上に存在してもよく、その別の要素に対して接続又は結合されていてもよく、或いは、介在する要素が存在してもよい。
【００１９】
本明細書において使用されている用語は、特定の実施形態を記述することを目的としたものであり、且つ、例示用の実施形態を限定するものとなることを意図したものではない。本明細書において使用されている「１つ（ａ）、（ａｎ）」、及び「その（ｔｈｅ）」という単数形は、そうではないことが文脈によって明瞭に示されていない限り、複数形をも含むものと解釈されたい。更には、「含む（ｉｎｃｌｕｄｅｓ）、（ｉｎｃｌｕｄｉｎｇ）」、「有する（ｃｏｍｐｒｉｓｅｓ）、（ｃｏｍｐｒｉｓｉｎｇ）」という用語は、記述されている要素又はステップの存在を規定しているが、１つ又は複数のその他の要素又はステップの存在又は追加を排除するものではない。
【００２０】
大まかに表現すれば、サイクロトロンは、円形タイプの粒子加速器に含まれる。円形粒子加速器のビーム理論は、平衡軌道と平衡軌道の周りのベータトロン振動の概念に基づいて発展したものである。平衡軌道（Ｅｑｕｉｌｉｂｒｉｕｍ  Ｏｒｂｉｔｓ：ＥＯｓ）の原理は、以下のように表すことができる。
・磁界によってキャプチャされた所与の運動量を有する帯電イオンは、軌道を描くことになる。
・閉じた軌道は、イオンの所与の電荷、運動量、及びエネルギーの平衡条件を表している。
・滑らかな平衡軌道の組を有する能力について磁界を分析することができる。
・加速は、１つの平衡軌道から別の平衡軌道への遷移として見ることができる。
一方、摂動論の弱収束原理は、以下のように表現することができる。
・粒子は、平均軌跡（中心線とも呼称する）を中心として振動する。
・振動周波数（ｖｒ、ｖｚ）は、それぞれ、半径方向（ｒ）及び軸方向（ｚ）における運動の特徴を示す。
・磁界は、座標磁界成分と磁界指数（ｎ）に分解され、且つ、
0006030064.tif 000002
である一方で、
0006030064.tif 000003
である。
・粒子振動と磁界成分、特に、磁界誤差項の間の共振が加速安定性及び損失を決定する。
【００２１】
上述の弱収束磁界指数パラメータｎは、以下のように規定され、
0006030064.tif 000004
ここで、ｒは、図１の小型サイクロトロンの断面図に示されているように、中心軸１６からのイオンの半径であり、且つ、Ｂは、その半径における軸方向の磁界の大きさである。弱収束磁界指数パラメータｎは、コイルによって生成される磁界が磁界指数を決定するサイクロトロン内におけるイオンのフルエネルギーへの正常な加速を可能にするために、イオンが加速される加速チャンバー４６内の中央加速プレーン（図３に示されている）の断面全体に跨って０〜１の範囲にある（イオンが導入されると共に半径が略ゼロである中心軸１６に近接したチャンバーの中央領域という例外が存在する可能性がある）。具体的には、イオンが平均軌跡を中心として安定性を有して振動することを維持するために、加速の際に、回復力を供給する。この軸方向の回復力は、ｎ＞０である際に、存在することを示すことが可能であり、且つ、この条件は、Ｂ＞０及びｒ＞０であるために、ｄＢ／ｄｒ＜０であることを必要としている。サイクロトロンは、加速に必要とされる磁界指数に整合するように、半径に伴って減少する磁界を有する。
【００２２】
図１及び図２に示されているように、磁石構造体１０は、イオンの加速のための中央加速プレーン１８を有する加速チャンバー４６を規定する磁極のペア３８及び４０及びリターンヨーク３６を有する磁気ヨーク２０を含む。図３に示されているように、磁石構造体１０は、エポキシガラス複合体などの絶縁組成物から形成された構造的スペーサ−８２によって支持されると共に離隔しており、且つ、外側クリオスタット６６（例えば、ステンレス鋼又は低炭素鋼から形成されると共に閉じ込め容積内において負圧障壁を提供しているもの）及び熱遮蔽体８０（例えば、銅又はアルミニウムから形成されたもの）内に収容されている。圧縮スプリング８８が８０Ｋの熱遮蔽体８０及び磁石構造体１０を圧縮状態において保持している。
【００２３】
ヨーク２０が磁気コイル１２及び１４の支持を提供すると共にこれらとの熱接触状態になるように、磁気コイルのペア１２及び１４（即ち、磁界を生成することができるコイル）がヨーク２０内に収容されると共に（クリオスタット又は自由空間によって完全に分離されることなしに）これとの接触状態にある。この結果、磁気コイル１２及び１４は、偏心力の影響を受けることがなく、従って、センタリングされた状態に磁気コイル１２及び１４を維持するための引っ張りリンクも不要である。
【００２４】
図５に示されているように、それぞれのコイル１２／１４は、エポキシガラス複合体９０からなる接地巻付け追加外側層と、例えば、銅又はアルミニウムから形成されたテープ−フォイルシートの熱オーバーラップ９２と、によってカバーされている。熱オーバーラップ９２は、極低温冷却のための低温伝導性リンク５８と磁極３８／４０及びリターンヨーク３６の両方との熱接触状態にあるが、熱オーバーラップ９２と磁極３８／４０及びリターンヨーク３６の間との接触は、オーバーラップ９２の表面全体にわたるものであってもよく、或いは、そうでなくてもよい（例えば、隣接する表面上の限られた数の接触エリアにおける直接的又は間接的な接触のみであってもよい）。低温伝導性リンク５８及びヨーク２０が「熱接触」状態にあるという特徴は、伝導性リンク５８とヨークの間に直接的な接触が存在することを意味するか、或いは、磁石構造体の冷却及び加熱に伴うこれらのコンポーネント間の熱膨張の差に対応するために熱オーバーラップ９２と低温伝導性リンク５８の間において且つこれらと同一平面上において取り付けることができる適切な示差熱収縮（ｄｉｆｆｅｒｅｎｔｉａｌ  ｔｈｅｒｍａｌ  ｃｏｎｔｒａｃｔｉｏｎ）を有する熱伝導性充填材料などの１つ又は複数の熱伝導性介在材料（例えば、少なくとも１Ｗ／（ｍ・ｋ）の熱伝導性を有するもの）を通じた物理的接触が存在することを意味している
【００２５】
そして、低温伝導性リンク５８は、クリオクーラー熱リンク３７（図１及び図２に示されているもの）と熱結合され、このクリオクーラー熱リンク３７は、クリオクーラー２６（図３に示されているもの）と熱結合されている。従って、熱オーバーラップ９２は、クリオクーラー２６、ヨーク２０、及びコイル１２及び１４の間に熱接触を提供している。
【００２６】
最後に、磁石構造体の冷却及び加熱に伴うこれらのコンポーネント間の熱膨張の差に対応するために、熱オーバーラップ９２と低温伝導性リンク５８の間に且つこれらと同一の平面上に適切な示差熱収縮を有する充填材料を取り付けることができる。
【００２７】
磁気コイル１２及び１４は、中央加速プレーン１８（図３を参照されたい）の両側において、ビームチャンバー６４を収容する加速チャンバー４６（図１に示されているもの）を取り囲んでおり、且つ、極めて強力な磁界を中央加速プレーン１８内に直接的に生成するように機能する。印加された電圧を介して起動された際に、磁気コイル１２及び１４は、磁気コイル１２及び１４によって直接的に生成される磁界とは別個であると見なすことができる磁界をヨーク２０が生成するように、ヨーク２０を更に磁化する。
【００２８】
磁気コイル１２及び１４は、イオンが加速される加速プレーン１８の上方及び下方の等距離のところに、中心軸１６を中心として対称的に配置されている。磁気コイル１２及び１４は、その間において少なくとも１つのＲＦ加速電極４８及び包囲超絶縁層３０が加速チャンバー４６内を延在することができるように、十分な距離だけ、分離されている。それぞれのコイル１２／１４は、一般に、４〜３０Ｋの範囲内である設計動作温度において超伝導性を有する導電体材料の連続した経路を含むが、２Ｋ未満において動作してもよく、その場合には、更なる超伝導性能及びマージンを入手可能である。サイクロトロンを相対的に高い温度において動作させることを要する場合には、ＢＳＣＣＯ（ｂｉｓｍｕｔｈ  ｓｔｒｏｎｔｉｕｍ  ｃａｌｃｉｕｍ  ｃｏｐｐｅｒ  ｏｘｉｄｅ）、ＹＢＣＯ（ｙｔｔｒｉｕｍ  ｂａｒｉｕｍ  ｃｏｐｐｅｒ  ｏｘｉｄｅ）、又はＭｇＢ２などの超伝導体を使用することができる。
【００２９】
それぞれのコイルの外径は、イオンが抽出される前にイオンが到達する外径の約１．２倍である。６Ｔを上回る磁界の場合には、１０ＭｅＶに加速されたイオンは、約７ｃｍの半径において抽出され、２５ＭｅＶに加速されたイオンは、約１１ｃｍの半径において抽出される。従って、１０ＭｅＶのビームを生成するように設計された本開示の小型低温サイクロトロンは、約８．４ｃｍのコイル外径を有することが可能であり、２５ＭｅＶのビームを生成するように設計された本開示の小型低温サイクロトロンは、約１３．２ｃｍのコイル外径を有することができる。
【００３０】
磁気コイル１２及び１４は、０．６ｍｍの直径を有すると共に、例えば、合計で２００万〜３００万アンペア−ターンの電流搬送容量を提供するように巻回された個別のケーブルストランドを有する超伝導体ケーブル又はケーブルインチャネル導体を有する。一実施形態においては、それぞれのストランドが２０００アンペアの超伝導電流搬送容量を有する場合には、コイル内に３００万アンペア−ターンの容量を提供するために、１５００巻回のストランドをコイル内に提供している。一般に、コイルは、超伝導ストランドの臨界電流搬送容量を超過することなしに、望ましい磁界レベルに必要とされる数のアンペア−ターンを生成するために必要な数の巻回を有するように設計することができる。超伝導材料は、ニオビウムチタニウム（ＮｂＴｉ）、ニオビウムすず（Ｎｂ３Ｓｎ）、又はニオビウムアルミニウム（Ｎｂ３Ａｌ）などの低温超伝導体であってよく、特定の実施形態においては、超伝導材料は、タイプＩＩ超伝導体、具体的には、タイプＡ１５結晶構造を有するＮｂ３Ｓｎである。Ｂａ２Ｓｒ２Ｃａ１Ｃｕ２Ｏ８、Ｂａ２Ｓｒ２Ｃａ２Ｃｕ３Ｏ１０、ＭｇＢ２、又はＹＢａ２Ｃｕ３Ｏ７−Ｘなどの高温超伝導体を使用することもできる。
【００３１】
コイルは、超伝導体又はケーブルインチャネル導体のケーブルから直接的に形成することができる。ニオビウムすずの場合には、反応前のニオビウムとすずのストランド（３：１の分子比を有するもの）をケーブル内に巻き付けてもよい。次いで、これらのケーブルを約６５０℃の温度に加熱してニオビウムすずを反応させることにより、Ｎｂ３Ｓｎを形成する。次いで、Ｎｂ３ＳｎケーブルをＵ字形の銅チャネル内にはんだ付けして複合導体を形成する。銅チャネルは、機械的な支持、クエンチの際の熱安定性、及び、超伝導材料が通常状態にある（即ち、超伝導性を有していない）際の電流用の伝導性経路を提供する。次いで、複合導体をグラスファイバによって覆い、且つ、次いで、外向きのオーバーレイ内において巻き付ける。例えば、ステンレス鋼から形成されたストリップヒーターを複合導体の巻き付けられた層の間に挿入することにより、磁石がクエンチされた際に、迅速な加熱を提供すると共に、クエンチが発生した後に、コイルの半径方向断面に跨って温度を均衡させることにより、コイルを損傷しうる熱的及び機械的応力を極小化することもできる。巻き付けの後に、負圧を適用し、且つ、巻き付けられた複合導体構造にエポキシを含浸させることにより、最終的なコイル構造においてファイバ／エポキシ複合フィラーを形成する。巻き付けられた複合導体がその内部に埋め込まれた結果得られたエポキシ−ガラス複合体は、電気的絶縁及び機械的剛性を提供する。これらの磁気コイル及びその構造の特徴については、米国特許第７，６９６，８４７Ｂ２号明細書及び米国特許出願公開第２０１０／０１４８８９５Ａ１号明細書に更に記述及び例示されている。
【００３２】
磁界が強力であることから、磁石構造体を例外的に小さくすることができる。一実施形態においては、磁気ヨーク２０の外径は、中心軸１６から磁気コイル１２及び１４の内側エッジまでの半径ｒの約２倍であり、磁気ヨーク２０の高さ（中心軸１６に対して平行に計測されたもの）は、半径ｒの約３倍である。
【００３３】
磁気コイル１２及び１４及びヨーク２０は、協働し、例えば、約８テスラの合成磁界を中央加速プレーン１８内に生成する。電圧を印加して磁気コイル１２及び１４を通じた連続的な電流の流れを開始及び維持した際に、磁気コイル１２及び１４は、例えば、少なくとも約３テスラ以上である中央加速プレーン内の磁界の大部分を生成する。ヨーク２０は、磁気コイル１２及び１４によって生成された磁界によって磁化され、且つ、イオンの加速のためにチャンバー内に生成される磁界に対して最大で更に約２．５テスラだけ寄与することができる。
【００３４】
磁界成分の両方（即ち、コイル１２及び１４から直接的に生成される磁界成分と磁化されたヨーク２０によって生成される磁界成分の両方）は、中央加速プレーン１８に対して略直交する状態において中央加速プレーン１８を通過する。但し、完全に磁化されたヨーク２０によってチャンバー内の中央加速プレーン１８に生成される磁界は、磁気コイル１２及び１４によって直接的に生成される磁界よりも、中央加速プレーン１８において格段に小さい。磁石構造体１０は、中心軸１６からイオンが加速チャンバー４６内において抽出される半径までの半径の増大に伴って磁界が減少して古典的サイクロトロンのイオン加速を可能にするように、（磁極３８及び４０の内側表面４２を成形することにより、又は更なる磁気コイルを設けて対向する磁界を加速チャンバー４６内に生成することにより、或いは、これらの組合せにより）中央加速プレーン１８に沿って磁界を成形するべく構成されている。中央加速プレーン内において磁界を成形するための４つの段階（Ａ、Ｂ、Ｃ、及びＤ）を有するテーパー化された内側磁極表面４２の一実施形態が図６に示されており、以下、これについて更に説明する。
【００３５】
磁石構造体１０は、加速チャンバー４６内における帯電粒子（イオン）の加速の際に弱収束及び位相安定性を提供するように設計されてもいる。弱収束は、帯電粒子が磁界を通じて外向き螺旋状に加速している間に帯電粒子を空間内において維持する。位相安定性は、帯電粒子が望ましい加速をチャンバー内において維持するための十分なエネルギーを取得することを保証する。具体的には、イオンの加速を維持するために必要とされる電圧を上回る電圧が、導電性コンジット６８を介して常に加速チャンバー４６のビームチャンバー６４内の高電圧電極４８に供給され、且つ、ヨーク２０は、ビームチャンバー６４及び電極４８のために加速チャンバー４６内の十分な空間を提供するように構成されている。１つの電極４８を使用する場合には、接地（「ダミーディー」と呼称してもよい）は、電極４８との関係において１８０°において位置決めする。代替実施形態においては、２つの電極（中心軸１６を中心として１８０°だけ離隔しており、接地は、これらの電極から９０℃だけ離隔している）を使用することができる。２つの電極の使用は、軌道運動するイオンの相対的に大きな利得（１ターンにつき）と、相対的に良好なイオン軌道のセンタリングと、を提供し、これにより、振動を低減すると共に相対的に良好なビーム品質を生成することができる。
【００３６】
動作の際には、超伝導磁気コイル１２及び１４は、「乾燥」状態において維持することが可能であり（即ち、液体冷媒中に浸漬されない）、むしろ、磁気コイル１２及び１４は、１つ又は複数の極低温冷凍機２６（クリオクーラー）により、超伝導体の臨界温度未満の温度（例えば、臨界温度を最大で５Ｋ未満のみ下回る温度、或いは、場合によっては、臨界温度を１Ｋ未満のみ下回る温度）に冷却することができる。磁気コイル１２及び１４を極低温の温度（例えば、組成に応じて、４Ｋ〜３０Ｋの範囲）に冷却した際には、ヨーク２０も、クリオクーラー２６、磁気コイル１２及び１４、並びに、ヨーク２０の間における熱接触に起因して、同様に、略同一の温度に冷却される。
【００３７】
クリオクーラー２６は、圧縮されたヘリウムをＧｉｆｆｏｒｄ−ＭｃＭａｈｏｎ冷凍サイクルにおいて利用することも可能であり、或いは、相対的に高い温度の第１ステージ８４と相対的に低い温度の第２ステージ８６を有するパルスチューブクリオクーラー設計を有することもできる。クリオクーラー２６の相対的に低い温度の第２ステージ８６は、約４．５Ｋにおいて動作させることが可能であり、且つ、熱リンク３７及び５８を介して、低温超伝導体（例えば、ＮｂＴｉ）電流リード線５９（図１６に示されているもの）と熱結合され、この電流リード線５９は、コイル１２及び１４を通じて電流を駆動するために超伝導磁気コイル１２及び１４内の複合伝導体の両端部及び電圧源と接続するワイヤを含む。クリオクーラー２６は、それぞれの低温導電性リンク５８及びコイル１２／１４をそれぞれのコイル内の導体が超伝導性を有する温度（例えば、約４．５Ｋ）に冷却することができる。或いは、この代わりに、相対的に高温の超伝導体を使用する場合には、クリオクーラー２６の第２ステージ８６は、例えば、４〜３０Ｋにおいて動作させることができる。従って、それぞれのコイル１２／１４は、動作の際に、乾燥状態において（即ち、液体ヘリウム又はその他の液体冷媒中に浸漬されない状態において）維持することができる。
【００３８】
クリオクーラー２６の相対的に高温の第１ステージ８４は、例えば、４０〜８０Ｋの温度において動作させることが可能であり、且つ、磁石構造体１０と室温（例えば、約３００Ｋにおける）であってよいクリオスタット６６の間に中間温度障壁を提供するために、相応して、例えば、約４０〜８０Ｋに冷却される熱遮蔽体８０と熱結合させることができる。クリオスタット６６によって規定される容積を真空ポンプ（図示されてはいない）によって排出して高真空をその内部に提供することが可能であり、且つ、これにより、クリオスタット６６、中間熱遮蔽体８０、及び磁石構造体１０の間における対流熱伝達を制限することができる。クリオスタット６６、熱遮蔽体８０、及び磁石構造体１０は、それぞれ、伝導性熱伝達を極小化させる量だけ、互いに離隔しており、且つ、絶縁スペーサ−８２（例えば、エポキシ−ガラス複合体から形成されたもの）によって構造的に支持されている。
【００３９】
乾式クリオクーラー２６の使用は、隔離された治療室内や運動するプラットフォーム上などのように、極低温冷却流体の供給源から離れた状態におけるサイクロトロンの動作を許容する。クリオクーラー２６のペアが提供されている場合には、サイクロトロンは、クリオクーラーのうちの１つに障害が発生した場合にも、動作を継続することができる。
【００４０】
磁気ヨーク２０は、超伝導コイル１２及び１４によって生成される磁束を加速チャンバー４６に搬送する磁気回路を提供する強磁性構造体を有する。又、磁気ヨーク２０を通じた磁気回路は、加速チャンバー４６内におけるイオンの弱収束のための磁界成形をも提供している。又、磁気回路は、磁束の大部分を磁気回路の外側部分内に閉じ込めることにより、加速チャンバー４６内の磁界レベルを向上させる。磁気ヨーク２０は、低炭素鋼から形成することが可能であり、且つ、磁気ヨーク２０は、コイル１２及び１４及びビームチャンバー６４を取り囲む内側超絶縁層３０（図４に示されており、且つ、例えば、アルミニウムが蒸着されたマイラー及び紙から形成されている）を取り囲んでいる。純粋な鉄は、脆弱過ぎる場合があり、且つ、小さ過ぎる弾性係数を有する場合があり、従って、鉄は、十分な量の炭素及びその他の元素をドーピングすることにより、十分な強度を提供したり、或いは、望ましい磁気レベルを維持しつつ、剛性を低減したりすることもできる。磁気ヨーク２０は、コイル１２及び１４及び超絶縁層３０によって囲まれた中心軸１６の同一のセグメントを囲んでいる。
【００４１】
磁気ヨーク２０は、中央加速プレーン１８に跨って略鏡面対称性を有する磁極のペア３８及び４０を更に含む。磁極３８及び４０は、リターンヨーク３６により、磁気ヨーク２０の境界線において結合されている。磁気ヨーク２０は、フィードスルーポート１００における磁極分離ギャップを狭めると共に、これにより、空洞がフィードスルーポート１００によって生成されているヨーク２０内の乏しい鉄をバランスさせるために、本明細書の別の部分に記述及び例示されているように個別のポート（ビーム抽出通路６０及び真空フィードスルーポート１００など）及びその他の個別の形状を特定の場所において許容していることを除いて、且つ、更なる磁気タブ９６（図７〜図１５に示されており、且つ、例えば、鉄から形成されたもの）を有するサドル様の形状を真空フィードスルーポート１００（図１６に示されているもの）に設けていることを除いて、中心軸１６を中心として略合理的な対称性を有する。代替実施形態においては、磁気タブ９６は、ヨーク２０の境界線の周りに巻き付いた連続的なベルトに内蔵されている。
【００４２】
タブ９６の第１実施形態は、図８〜図１０に示されているように、湾曲したストリップの形態を有しており、図８及び図９は、それぞれ、（図７の向きとの関係において）平面及び側面からの図を提供し、図１０は、タブ９６の斜視図を提供している。タブ９６の第２実施形態は、この場合には、第１実施形態と同様に、湾曲したストリップの形態を有しいているが、中央加速プレーン１８に向かって内側に対向する磁極ウィング９８の表面にわたって延在するテーパー化されたカバーセクション９７をも含む。この実施形態においては、テーパー化されたカバーセクション９７の高さは、中心軸１６までの距離が減少するのに伴って、磁極ウィング９８の表面にわたって徐々に狭くなっている。下部磁極３８の向きとの関係において、テーパー化されたカバーセクション９７を有するタブ９６は、図１１においては、側面から、図１２においては、中心軸１６から、図１４及び図１５においては、それぞれ、上部及び底部から、示されており、タブ９６のこの実施形態の斜視図は、図１３に提供されている。
【００４３】
磁極３８及び４０は、図６に示されているテーパー化された内側表面４２を有しており、この内側表面４２は、協働し、磁極３８及び４０の間の、且つ、加速チャンバー４６に跨る、磁極ギャップを規定している。テーパー化された内側表面４２のプロファイルは、コイル１２及び１４の位置の関数であると共に、中心軸１６からの距離の関数にもなっており、この結果、対向する表面４２の間のステージＢにおいて、中央加速プレーン１８からの距離が最大（例えば、３．５ｃｍ）になるようになっており、この磁極ギャップの拡大により、加速されたイオンの十分な弱収束及び位相安定性が提供される。
【００４４】
中央加速プレーン１８からの内側磁極表面４２の距離は、ステージＡにおいて中心軸に直接隣接した状態とステージＣにおいてステージＢを超えた状態の両方において、例えば、２．５ｃｍという中央値を有する。この距離は、抽出のためにフルエネルギービームを磁極エッジの近傍において正確に位置決めしつつ、強力な超伝導コイルの有害な効果に対して弱収束を提供するために、ステージＤ内の磁極ウィング９４において、例えば、０．８ｃｍに狭まっている。この実施形態においては、ステージＥにおけるコイル１２及び１４の近接した表面は、中央加速プレーン１８の上方／下方において３．５ｃｍだけ離隔している。代替実施形態においては、ステージＡ〜Ｄは、別個のものではなく、且つ、その代わりに、１つのステージから次のステージへの連続した滑らかなスロープ遷移を提供するために、テーパー化されている。別の代替設計においては、４つを上回る又は下回る数のステージを内側磁極表面４２に跨って設けている。
【００４５】
ステージＡ、Ｂ、Ｃ、及びＤは、実質的に等しい距離にわたって中心軸１６から中央加速プレーン１８に沿って半径方向に延在しており、Ａ、Ｂ、Ｃ、及びＤのそれぞれは、中心軸１６からコイル１２／１４の内側表面までの距離の約４分の１にわたって（或いは、イオン源の挿入のために中心軸に沿った通路を収容するべく、４分の１をわずかに下回るだけ）延在している。例えば、中心軸１６からコイル１２／１４の内径までの半径が１０ｃｍである場合には、それぞれのステージは、約２．５ｃｍの距離にわたって中央加速プレーンに平行に半径方向に延在する。この実施形態においては、ステージは、別個のものになっている、代替実施形態においては、ステージをスロープ化及びテーパー化し、これにより、磁極表面上においてステージ間の滑らかな遷移を提供することもできる。
【００４６】
この磁極形状は、例えば、３．５ＭｅＶ〜２５ＭｅＶの任意のレベルを有する加速粒子のエネルギーレベルを伴う広い範囲の加速動作に使用することができる。このような磁極プロファイルは、いくつかの加速機能を有し、即ち、装置の中心における低エネルギーによるイオンのガイド、安定した加速経路内へのキャプチャ、加速、軸方向及び半径方向の収束、ビーム品質、ビーム損失の極小化、最終的な望ましいエネルギー及び強度の実現、及び抽出のための最終的なビームの場所の位置決めを有する。特に、弱収束及び加速位相安定性の同時達成が実現される。
【００４７】
又、磁気ヨーク２０は、真空フィードスルーポート１００（図１６に示されているもの）などの少なくとも１つの半径方向の通路と、伝導性金属から形成された高周波（ＲＦ）加速器電極４８を含む共振器構造体の加速チャンバー４６内への挿入のための十分なクリアランスと、をも提供している。加速器電極４８は、（米国特許第４，６４１，０５７号及び第７，６９６，８４７号明細書に記述されているように）加速チャンバー４６内の加速プレーン１８に対して平行に且つその上方及び下方において方向付けられた平らな半円形の平行なプレートのペアを含む。イオンは、中心軸１６の近傍に配置された内部イオン源５０によって生成することが可能であり、或いは、イオン注入構造を介して外部イオン源から供給することもできる。内部イオン源５０の一例は、例えば、電圧源に結合されると共に水素ガスの供給減に近接した加熱されたカソードであってよい。
【００４８】
加速器電極４８は、導電性経路を介して高周波電圧源と結合されており、この高周波電圧源は、イオン源５０から放射されたイオンを加速チャンバー４６内の膨張する螺旋軌道において加速させるための固定周波数振動電界を生成する。サイクロトロンがシンクロサイクロトロンモードにおいて動作している特定の実施形態においては、高周波電圧源は、イオンが中央加速プレーン内において外向きに螺旋運動するのに伴って電界の周波数が減少するように、可変周波数を供給するべく、高周波回転型コンデンサによって設定することができる。
【００４９】
加速チャンバー４６内において、ビームチャンバー６４及びディー電極（ｄｅｅ  ｅｌｅｃｔｒｏｄｅ）４８は、図４に示されているように、熱を放射する電極４８と極低温に冷却される磁気ヨーク２０の間の断熱を提供する内側超絶縁構造体３０内に存在している。従って、電極４８は、磁気ヨーク２０及び超伝導コイル１２及び１４の温度よりも少なくとも４０Ｋだけ高い温度において動作することができる。図４の図は、分割されており、ディー電極４８を示す内部セクションが中心軸１６の左側に提供され、且つ、内側面７７及び外側電気接地プレート７９（例えば、銅ライナーの形態を有するもの）を含む接地（ダミーディー）７６の外部の図が中心軸１６の右側に提供されている。
【００５０】
加速システムビームチャンバー６４及びディー電極４８は、例えば、２０ｋＶ未満の加速電圧Ｖ０において２０ＭｅＶの陽子線（電荷＝１、質量＝１）を生成するべく、サイズ設定されている。ビームチャンバー６４は、例えば、３ｃｍの高さと１６ｃｍの直径を有する円筒型の容積を規定することができる。強磁性の鉄製磁極及びリターンヨークは、組立及び保守を円滑に実行するために分割構造として設計され、且つ、これは、中心軸１６からコイル１２／１４までの磁極の半径ｒｐの約２倍の外径（例えば、ｒｐが１０ｃｍである場合には、約２０ｃｍである）と、約３ｒｐの合計高さ（例えば、ｒｐが１０ｃｍである場合には、約３０ｃｍである）と、２トンの合計質量（約２０００ｋｇ）と、を有する。
【００５１】
磁気コイル１２、１４及び磁気ヨーク２０によって生成される磁界内において加速された際に、イオンは、中心軸１６から半径ｒに沿って膨張する螺旋軌道７４の形態を有する平均軌跡を有する。又、イオンは、この平均軌跡を中心として小さな直交振動をも経験する。平均半径を中心としたこれらの小さな振動は、ベータトロン振動と呼ばれており、且つ、これらは、イオンを加速させる特定の特性を規定する。
【００５２】
上部及ぶ下部磁極ウィング９８は、磁極エッジの近傍の最終的に入手可能なエネルギーを設定する特性軌道振動を移動させることにより、抽出のために磁界エッジを鋭利にしている。更には、上部及び下部磁極ウィング９８は、強力な分割コイルペア１２及び１４からの内部加速磁界を遮蔽するようにも機能する。上部及び下部磁極ウィング９８の面の周りにおいて周方向に配置される強磁性の上部及び下部鉄製先端部の更なる局所片を設けて十分な局所的非軸対称エッジ磁界を確立することにより、再生イオン抽出又は自己抽出に対応することができる。
【００５３】
動作の際には、電圧（例えば、上述のコイル内に１５００巻回を有する実施形態において２０００Ａの電流を生成するのに十分なもの）を伝導性リンク５８内の電流リード線を介してそれぞれのコイル１２／１４に印加することにより、コイルが４．５Ｋである際に、例えば、少なくとも８テスラの磁界を加速チャンバー４６内に生成することができる。その他の実施形態においては、更に多数のコイルの巻回を提供することが可能であり、且つ、電流を低減することができる。磁界は、完全に磁化された鉄製磁極３８及び４０からの最大で約２．５テスラの寄与を含み、磁界の残りの部分は、コイル１２及び１４によって生成される。
【００５４】
この磁石構造体１０は、イオンの加速のための十分な磁界を生成するように機能する。イオンのパルスは、例えば、電圧パルスを加熱されたカソードに印加してカソードから水素ガス中に電子を放出させることによるなどのように、イオン源によって生成することが可能であり、この場合には、電子が水素分子と衝突した際に、陽子が放出される。加速チャンバー４６は、例えば、１０−３気圧未満の負圧となるように排出されるが、十分な数の陽子を生成するための十分な数の分子を依然として供給しつつ低圧の維持を可能とする量だけ、水素が導入及び調節される。陽子の代わりに、重陽子又はアルファ粒子からウラニウムなどの格段に重いイオンにまで及ぶものなどのように、更に大きな質量を有するその他のイオンをこれらの装置及び方法によって加速させることも可能であり、動作の際には、更に重い元素の場合には、電界の周波数を低減させることができる。動作の際には、電極４８及び内側クリオスタット内のその他のコンポーネントは、相対的に高い温度（例えば、約３００Ｋであるか、又は磁気ヨーク２０及び超伝導コイル１２及び１４の温度よりも少なくとも４０Ｋだけ高い温度）を有することができる。
【００５５】
この実施形態においては、電圧源（例えば、高周波発振回路）は、ＲＦ加速器電極４８のプレートに跨って、例えば、２００００ボルトの交流又は発振電位差を維持している。ＲＦ加速器電極４８によって生成される電界は、加速対象の陽子イオンのサイクロトロン軌道周波数のものに整合した固定周波数（例えば、１４０ＭＨｚ）を有する。電極４８によって生成される電界は、イオンが、略、プレートの内部の領域の中央部分において運動することを維持する収束動作を生成し、且つ、電極４８によってイオンに供給される電界インパルスは、放射されると共に軌道運動するイオンの速度を累積的に増大させる。これにより、イオンがその軌道内において加速されるのに伴って、イオンは、電界における振動と共振した状態において又はこれと同期した状態において、中心軸１６から外向きに螺旋運動して連続的に回転する。
【００５６】
具体的には、電極４８は、イオンが電極４８から離れている際には、軌道運動するイオンの電荷とは反対の電荷を有しており、反対電荷の吸着により、イオンをそのアーチ形の経路内において電極４８に向かって引っ張る。イオンがそのプレートの間を通過する際には、電極４８には、イオンの電荷と同一符号の電荷が提供され、同一電荷の反発により、イオンは、離れるようにその軌道内において跳ね返され、且つ、このサイクルが反復される。その経路に対して直角である強力な磁界の影響下において、イオンは、電極４８及び接地７６により、螺旋状の経路に沿って誘導される。イオンが徐々に外向きに螺旋運動するのに伴って、イオンの速度は、イオンが最終的に外径７０に到達する時点まで、その軌道半径の増大に比例して増大し、この外径７０において、イオンは、磁気偏向器システム（例えば、加速チャンバー４６の境界線を中心として位置決めされた鉄製先端部の形態における）によって収集器チャネル内に磁気的に偏向され、これにより、イオンを磁界から外向きに逸脱させ、且つ、加速チャンバー４６からリターンヨーク３６を通じて、例えば、外部ターゲットに向かって延在する線形ビーム抽出通路６０内にサイクロトロンから（パルスビームの形態において）引き出すことができる。
【００５７】
本発明の実施形態の説明においては、明瞭性を目的として、特定の用語を使用している。説明を目的として、特定の用語は、類似の結果を実現するために類似の方式において動作する技術的且つ機能的な均等物を少なくとも含むものと解釈されたい。更には、本発明の特定の実施形態が複数のシステム要素又は方法ステップを含んでいるいくつかの状況においては、それらの要素又はステップは、単一の要素又はステップによって置換してもよく、同様に、単一の要素又はステップを同一の目的のための機能する複数の要素又はステップによって置換してもよい。更には、本発明の実施形態のために様々な特性のパラメータが本明細書に規定されている場合には、それらのパラメータは、特記されていない限り、例えば、上方及び下方に、１００分の１、５０分の１、２０分の１、１０分の１、５分の１、３分の１、２分の１、４分の３だけ（或いは、２、５、１０などの倍率だけ、上方に）調節することも可能であり、或いは、その丸め近似によって調節することも可能である。更には、その特定の実施形態を参照して本発明について図示及び説明したが、当業者は、本発明の範囲を逸脱することなしに、形態及び詳細における様々な置換及び変更を実施してもよいことを理解するであろう。更には、その他の態様、機能、及び利点も、本発明の範囲に含まれており、且つ、本発明のすべての実施形態は、必ずしも、上述の特性の利点のすべてを実現する必要はなく、且つ、特性のすべてを有する必要もない。更には、一実施形態との関連において本明細書に記述されているステップ、要素、及び特徴は、同様に、その他の実施形態との関連において使用してもよい。本明細書の本文の全体を通じて引用されている参照テキスト、雑誌論文、特許、特許出願などを含む参考文献の内容は、引用により、そのすべてが本明細書に包含され、且つ、これらの参考文献の適切なコンポーネント、ステップ、及び特徴は、任意選択により、本発明の実施形態に含まれてもよく、或いは、含まれなくてもよい。更には、「背景技術」の節において識別されているコンポーネント及びステップは、本開示と一体をなしており、且つ、本発明の範囲に含まれる本開示の別の場所に記述されているコンポーネント及びステップとの関連において使用することが可能であり、且つ、これらを置換することもできる。方法請求項において、段階が特定の順序において記述されている―参照を容易にするために順序付けされた先頭文字が付加されているか又は付加されていない―場合には、用語又はフレーズによって規定さるか又は意味されていない限り、それらの段階が、それらの段階が記述されている順序に対して時間的に限定されるものと解釈してはならない。
【図１】
0006030064.tif 000005
【図２】
0006030064.tif 000006
【図３】
0006030064.tif 000007
【図４】
0006030064.tif 000008
【図５】
0006030064.tif 000009
【図６】
0006030064.tif 000010
【図７】
0006030064.tif 000011
【図８】
0006030064.tif 000012
【図９】
0006030064.tif 000013
【図１０】
0006030064.tif 000014
【図１１】
0006030064.tif 000015
【図１２】
0006030064.tif 000016
【図１３】
0006030064.tif 000017
【図１４】
0006030064.tif 000018
【図１５】
0006030064.tif 000019
【図１６】
0006030064.tif 000020